(57)【要約】【課題】  手頃な大きさで置き場所に困らない布帛とその収納ケースとの組合せを提供する。【解決手段】  ケース本体１２とこれを塞ぐ蓋体１３とを備えていて電子記録媒体の収納に使用される収納ケース１１に、パソコン類や電子記録媒体の拭き布に好適な布帛１７を収納している。ケース本体１２及び蓋体１３は、ポリスチレン等の透明な硬質合成樹脂の射出成形で製造されている。【選択図】  図２
2005112453.tif 000002
【特許請求の範囲】
【請求項１】
ケース本体とこれを塞ぐ蓋体とを備えていて電子記録媒体の収納に使用され得る収納ケースに、パソコン類、電子記録媒体、ディスプレイ類及びレンズ類の拭き布に好適な布帛を収納している、
布帛と収納ケースとの組合せ。
【請求項２】
前記ケース本体と前記蓋体とは透明な合成樹脂製で平面視四角形に形成されており、
前記蓋体は前記ケース本体に回動可能に取付けられており、前記蓋体の回動中心側の側辺部には、当該蓋体の回動時に前記ケース本体と干渉することを回避するための間隙部が、蓋体の回動軸線に沿って細長く延びるように形成されており、
前記蓋体の裏面側には、前記布帛を上方から覆うように非透明なカバーシートが配置されており、このカバーシートには、前記ケース本体の内部を視認し得る窓穴が形成されている一方、
前記ケース本体はその四周に壁を備えた浅い箱状に形成されており、このケース本体の内部に、当該ケース本体の底面に重なる中敷シートが配置されており、この中敷シートのうち前記ケース本体の回動中心側の部位に、閉蓋状態で前記蓋体の間隙部に位置する立体部を形成している、
請求項１に記載した収納ケース。
【請求項３】
前記中敷シートは、蓋体の回動中心側に折り目がくるように２枚重ね状に折り重ねられた上下のシート部からなっており、
前記上下のシート部は主折り目を介して連設しており、上シート部には、前記主折り目に近いものから順に第１〜第３の３本の補助折り目を平行に形成しており、
更に、前記中敷きシートは、ケース本体に装着する前には主折り目を介して上下のシート部が重なり合った扁平な中間形態になっており、この中間形態の中敷きシートを、主折り目をケース本体の壁に当接させた状態で上シート部をケース本体の内部に押し込むことにより、前記立体部が形成されるように設定している、
請求項２に記載した収納ケース。
【発明の詳細な説明】
【技術分野】
【０００１】
本発明は、パソコン類、電子記録媒体、ディスプレイ類及びレンズ類の拭き布に好適な布帛と収納ケースとの組合せ、及び前記収納ケースに関するものである。
【背景技術】
【０００２】
従来、パソコン、ワークステーション及び情報端末等のパソコン類、光ディスク（例えばＣＤやＤＶＤ等）及び光磁気ディスク（ＭＯ）等の電子記録媒体、液晶ディスプレイやプラズマディスプレイ等のディスプレイ類、並びにメガネレンズやカメラ等の光学機器等のレンズ類の拭き布に好適な布帛としては、極細繊維を含む編織物または不織布製のワイピングクロスが広く使用されている（例えば特許文献１参照）。また、本願発明者のうち桑田は以前に、パソコン類等を拭くのに好適なパイル編地製の拭き布を発明し、これを特願２００３−１０６２２０号として出願している。
【特許文献１】実開平６−２４６６５号公報
【発明の開示】
【発明が解決しようとする課題】
【０００３】
ところで、この種のワイピングクロスを包装するのに使用される従来の収納体は、例えば単なる筒状ケースや袋状等というように、商品流通段階で単に前記ワイピングクロスを収納できればよいという形態となっている。このため、収納体を開封してワイピングクロスを取り出した後は、収納体は廃棄されることが多い。このため、剥き出しのワイピングクロスは例えばパソコン類等の周囲に乱雑に放置されやすくて美感を損なうばかりか、ワイピングクロス自体を紛失しやすいという問題があった。
【０００４】
また、前述のように、従来の収納体は開封後に廃棄されるのが前提であるから、従来の収納体は、一旦開封してワイピングクロスを取り出した後で、再びワイピングクロスを収納できるようにはつくられていない。このため、ワイピングクロスを携帯しようにも、剥き出し状態であるから不便であるという問題もあった。
【０００５】
一方、収納体が筒状ケースである場合は、ワイピングクロスの収納用としてそのまま使用することは可能であるが、その外形形状のために整理して収納するのが難しく、持ち運びも不便であるという問題があった。
【０００６】
そこで本発明は、パソコン類やディスプレイ類等の周囲に配置されるものの中から、電子記録媒体の収納に使用される合成樹脂ケースに着目し、手頃な大きさで置き場所に困らない布帛と収納ケースとの組合せを提供することを技術的課題とする。
【課題を解決するための手段】
【０００７】
この技術的課題を解決するため、請求項１の発明に係る布帛と収納ケースとの組合せは、ケース本体とこれを塞ぐ蓋体とを備えていて電子記録媒体の収納に使用され得る収納ケースに、パソコン類、電子記録媒体、ディスプレイ類及びレンズ類の拭き布に好適な布帛を収納しているというものである。
【０００８】
請求項２の発明は、請求項１に記載した収納ケースにおいて、前記ケース本体と前記蓋体とは透明な合成樹脂製で平面視四角形に形成されており、前記蓋体は前記ケース本体に回動可能に取付けられており、前記蓋体の回動中心側の側辺部には、当該蓋体の回動時に前記ケース本体と干渉することを回避するための間隙部が、蓋体の回動軸線に沿って細長く延びるように形成されており、前記蓋体の裏面側には、前記布帛を上方から覆うように非透明なカバーシートが配置されており、このカバーシートには、前記ケース本体の内部を視認し得る窓穴が形成されている一方、前記ケース本体はその四周に壁を備えた浅い箱状に形成されており、このケース本体の内部に、当該ケース本体の底面に重なる中敷シートが配置されており、この中敷シートのうち前記ケース本体の回動中心側の部位に、閉蓋状態で前記蓋体の間隙部に位置する立体部を形成しているというものである。
【０００９】
請求項３の発明は、請求項２に記載した収納ケースにおいて、前記中敷シートは、蓋体の回動中心側に折り目がくるように２枚重ね状に折り重ねられた上下のシート部からなっており、前記上下のシート部は主折り目を介して連設しており、上シート部には、前記主折り目に近いものから順に第１〜第３の３本の補助折り目を平行に形成しており、更に、前記中敷きシートは、ケース本体に装着する前には主折り目を介して上下のシート部が重なり合った扁平な中間形態になっており、この中間形態の中敷きシートを、主折り目をケース本体の壁に当接させた状態で上シート部をケース本体の内部に押し込むことにより、前記立体部が形成されるように設定しているというものである。
【発明の効果】
【００１０】
請求項１のように構成すると、布帛収納用の収納ケースとして、電子記録媒体の収納に使用される一般的な合成樹脂ケースをそのまま利用することができるから、布帛を例えば合成樹脂ケース用の収納ボックス等に、電子記録媒体が入ったケースと一緒に整理して保管することができる。従って、布帛を紛失したり収納ケースの置き場所に困ったりすることはなく、パソコン類やディスプレイ類等の周囲の美感を損なうこともないという効果を奏する。しかも、電子記録媒体入りのケースと同様に取扱えるので、収納等の取扱いや持ち運びに便利であるという効果も奏する。
【００１１】
また、前述のように、収納ケースとして一般的に多用される合成樹脂ケースをそのまま利用することができるから、前記収納ケースを安価に入手でき、その結果、前記収納ケースで包装された布帛製品を安価に製造することができる。
【００１２】
布帛がパソコン類の拭き取り用である場合には、パソコン売り場やＣＤ売り場等で、布帛入りの収納ケースを、電子記録媒体入りの合成樹脂ケース等と一緒に違和感なく整然と陳列することができるし、売り場の雰囲気にもマッチするという効果を奏する。収納ケースに包装された布帛製品をパソコンとセットにして販売する場合も、収納ケースがパソコンに付属している光ディスク入りの合成樹脂ケースと同じ形態であるから、まとまりがよくて嵩張らないし、その取扱いも容易であるという効果も奏する。
【００１３】
ところで、この種の収納ケースは一般に透明であり、その内部には非透明のカバーシートや中敷シートが内装されている。これらカバーシート及び中敷シートには内容物に関する各種の表示が施されているため、通常は外側から収納ケースの内部を見ることはできない。従って、いちいち蓋体を開けなければケースの中身を確認できず、このため、中身を間違って購入するおそれもあった。
【００１４】
これに対して請求項２のように構成すると、わざわざ蓋体を開けなくても、カバーシートに形成した窓穴から布帛を視認することができるので、光ディスク入りの合成樹脂ケースと取り間違えることはなくなるという効果を奏する。
【００１５】
また、閉蓋状態では、蓋体側の間隙部に中敷シートの立体部が収まるから、前記立体部の表面に、カバーシートに印刷された文字の並び方向とは異なる方向に布帛の名称等の文字を印刷しておくことが可能となる。これらの文字表示により、例えば陳列姿勢が異なっていても、布帛入りの収納ケースであることを簡単に認識することができるので、販売・保管の際にはたいへん都合がよいという効果を奏する。
【００１６】
さて、中敷シートは収納ケースとは別体に製造されるものであり、素材となる矩形状のシートで展開した状態に製造し、これに印刷を施しているが、予め立体部があると保管・運搬にスペースをとるため不便である。
【００１７】
これに対して請求項３のように構成すると、ケース本体に装着する前は、二つ折りの扁平な状態で多数枚を積み重ねることができるので、スペースを節約することができ、運搬コスト及び保管コストを著しく低減することができるという効果を奏する。
【００１８】
また、中敷シートを立体成形するに際しては、主折り目の部位がケース本体の回動端側の側壁に内側から当接するようにして、二つ折り状態のシートをケース本体内に挿入するというワンタッチ的な作業により、中敷シートに立体部を成形することができる。
【００１９】
従って、中敷シートの保管・運搬の容易性を損なうことなく、中敷シートの折り曲げ作業とケース本体内への挿入作業とを一つにまとめることができ、製造コストの低減に寄与することができるという効果を奏する。
【発明を実施するための最良の形態】
【００２０】
次に、本発明を具体化した実施形態を図面に基づいて説明する。
【００２１】
図１〜図７は本発明の第１実施例である。図１は第１実施例における布帛及び収納ケースの閉蓋状態での斜視図、図２は開口状態での布帛及び収納ケースの斜視図、図３は図１のＩＩＩ−ＩＩＩ視側断面図、図４は収納ケースの分離斜視図、図５はカバーシートの斜視図、図６は中敷シートの斜視図、図７は収納手順を示す斜視図である。
【００２２】
まず、図１〜図６を参照しながら、布帛及び収納ケースの概要について説明する。
【００２３】
第１実施例では、電子記録媒体としての光ディスクの収納に使用される硬質合成樹脂製の収納ケース１１に、パソコン類、電子記録媒体、ディスプレイ類及びレンズ類の拭き布に好適なワイピングクロス等の布帛１７（図２及び図３の二点鎖線状態参照）が収納されている。
【００２４】
収納ケース１１は、平面視四角形で浅い箱状に形成されたケース本体１２と、このケース本体１２に枢支手段１６を介して開閉回動可能に取付けられた平面し四角形状の蓋体１３と、布帛１７を上方から覆うように蓋体１３の裏面（内面）側に配置される非透明なカバーシート１４と、ケース本体１２の底面に重なるようにケース本体１２内に配置される非透明な中敷シート１５とを備えている。ケース本体１２及び蓋体１３は、ポリスチレン等の透明な硬質合成樹脂の射出成形により、それぞれ別体に製造されている。
【００２５】
ケース本体１２は、矩形薄板状の底壁２１と、この底壁２１の四周側辺部から上向きに立ち上がる側壁２２とを備えている。図４に示すように、これら四周側壁２２のうち相対向する二側壁２２には、コーナ部寄りの対称位置に、枢支穴２３，２３が貫通形成されている。
【００２６】
蓋体１３は、閉蓋状態で中敷シート１５の内底板４６（詳細は後述する）を上方から覆う矩形薄板状の天蓋２４と、この天蓋２４の相対向する二側辺から裏面側に立ち上がる側壁２５，２５とを備えている。
【００２７】
これら両側壁２５，２５の一方の端部は、平面視で天蓋２４から外向きに突出している。各突出端部の内面には、内向きに突出する水平ピン２６，２６が一体的に形成されている（図３参照）。蓋体１３側の水平ピン２６，２６をこれに対応するケース本体１２側の枢支穴２３，２３に嵌め込むことにより、蓋体１３はケース本体１２に対して回動可能に枢支されている。
【００２８】
この場合、両側壁２５，２５の一方の端部を平面視で天蓋２４から外向きに突出させることにより、天蓋２４の回動中心側の側辺部に、蓋体１３の回動軸線Ａに沿って細長く延びる間隙部２７が形成されている。この間隙部２７の存在により、天蓋２４の回動中心側の側辺部が蓋体１３の開閉回動時にケース本体１２の回動中心側の側壁２２と干渉するのを回避することができ、蓋体１３はスムーズに開閉するのである。
【００２９】
第１実施例では、中敷シート１５がなければ（この点は後述する）、閉蓋状態でもケース本体１２の内部は間隙部２７を介して外部と連通することになる。
【００３０】
蓋体１３側の水平ピン２６，２６とケース本体１２側の枢支穴２３，２３とは枢支手段１６に相当する。なお、水平ピン２６と枢支穴２３との配置関係は逆であってもよい。すなわち、蓋体１３側に貫通穴を形成する一方、ケース本体１２側に水平ピンを形成するようにしてもよい。
【００３１】
蓋体１３における両側壁２５，２５の内面には、カバーシート１４を装着するための複数の係止爪２８（実施例では２つずつ）が内向きに突出形成されている。これら係止爪２８群は、閉蓋状態でケース本体１２の両側壁２２の段部２９に載るように構成されている。天蓋２４の回動端側の側辺部には、裏面側に突出するストッパ３０が一体的に形成されている。
【００３２】
従って、カバーシート１４は、天蓋２４と係止爪２８との間を滑り込むようにしてストッパ３０に当接するまで挿入される。そして、前述の係止爪２８群により、カバーシート１４は天蓋２４の裏面側に重ねた状態で保持される（図２及び図３参照）。
【００３３】
以上の構成によると、ケース本体１２及び蓋体１３として、光ディスクの収納に使用される一般的な合成樹脂ケースをそのまま利用することができるから、布帛１７を例えば合成樹脂ケース用の収納ボックス等に、光ディスク入りの合成樹脂ケースと一緒に整理して保管することができる。従って、布帛１７を紛失したり収納ケース１１の置き場所に困ったりすることはなく、パソコン類等の周囲の美感を損なうこともない。しかも、収納ケース１１は、布帛１７を取り除けば、光ディスクの収納のためのケースとして再利用することができるので、汎用性にも富む。その上、光ディスク入りのケースと同様に取扱えるので、収納等の取扱いや持ち運びに便利なのである。
【００３４】
また、収納ケースとして一般的に多用される合成樹脂ケースをそのまま利用することができるから、収納ケース１１を安価に入手でき、その結果、収納ケース１１で包装された布帛製品を安価に製造することができる。
【００３５】
収納ケース１１は光ディスク入りの合成樹脂ケースと同じ形態であるから、布帛１７がパソコン類の拭き取り用である場合には、パソコン売り場やＣＤ売り場等で、布帛１７入りの収納ケース１１を、光ディスク入りの合成樹脂ケース等と一緒に違和感なく整然と陳列することができるし、売り場の雰囲気にもマッチ（調和）する。
【００３６】
さらに、収納ケース１１に包装された布帛製品をパソコンとセットにして販売する場合も、収納ケース１１がパソコンに付属している光ディスク入りの合成樹脂ケースと同じ形態であるから、まとまりがよくて嵩張らないし、その取扱いも容易で見栄えもよい。
【００３７】
図５に示すように、カバーシート１４は、紙製や合成樹脂製等の非透明な横長矩形状シートを折り線に沿って二つ折りにしたものである。このカバーシート１４は、二つ折りした状態で天蓋２４の裏面側にきっちりと収まる大きさの矩形状の外形となっている。カバーシート１４の一方の広幅面、すなわち二つ折りした状態で表面側となる広幅面には、文字、記号、図形等の各種情報が印刷されている。
【００３８】
カバーシート１４のうち二つ折りした状態で重なり合う部位には、ケース本体１２の内部を覗くための窓穴３１が形成されている。収納ケース１１は透明であるが、カバーシート１４や中敷シート１５は非透明で各種の表示が施されているため（中敷シート１５については後述する）、通常は外側から収納ケース１１の内部を見ることはできない。これに対して本願発明では、前述の窓穴３１を設けたことにより、わざわざ蓋体１３を開けなくても、布帛１７を視認することができるので、光ディスク入りの合成樹脂ケースと取り間違えることはなくなる。
【００３９】
中敷シート１５は、紙製や合成樹脂製の１枚の矩形状シート４１を、蓋体１３の回動中心側に主折り目４７ａがくるように２枚重ね状に折り重ねてなるものである（図７（ａ）（ｂ）参照）。上シート部４１ａには、主折り目４７ａに近いものから順に第１〜第３の３本の補助折り目４７ｂ〜４７ｄが主折り目４７ａと平行に形成されている。下シート部４１ｂには、第４の補助折り目４７ｅが主折り目４７ａと平行に形成されている。
【００４０】
中敷シート１５は、立体成形した状態では、ケース本体１２内の底部にきっちりと嵌る矩形状の底板４２と、ケース本体１２のうち蓋体１３の回動軸線Ａ（図２及び図４参照）と平行状に延びる二側壁２２，２２の内面に重なるように底板４２の相対向する二側辺から上向きに立ち上がる側板４３，４３と、一方の側板４３の上端から水平内向きに折れ曲がる平坦板４４と、この平坦板４４の側端から下向きに折れ曲がる内側板４５と、底板４２の内面に重なるように内側板４５の下端から他方の側板４３に向けて折れ曲がる内底板４６とで構成される。
【００４１】
従って、底板４２と一方の側板４３との間に主折り目４７ａが位置する。一方の側板４３と平坦板４４との間には第１補助折り目４７ｂが位置し、平坦板４４と内側板４５との間には第２補助折り目４７ｃが位置する。内側板４５と内底板４６との間には第３補助折り目４７ｄが位置する。底板と他方の側板との間には第４補助折り目４７ｅが位置することになる。
【００４２】
図６に示すように、中敷シート１５の一側部には、一方の側板４３と平坦板４４と内側板４５とを筒状に折り曲げることにより、立体部４８が形成されている。なお、立体部４８を構成しない他方の側板４３は、本発明における中敷シート１５に必須の構成要素ではない。
【００４３】
両側板４３，４３の上下幅寸法ＷＳは、これに対応するケース本体１２の側壁２２の高さ寸法Ｈ（図４参照）に略一致するように設定されている。平坦板４４の横幅寸法ＷＨは、間隙部２７の横幅寸法、すなわち閉蓋状態で天蓋２４の回動端側の側辺部とケース本体１２側の側壁２２との間の距離ＬＳ（図４参照）と略一致するように設定されている。内側板４５の上下幅寸法ＷＩＳは、両側板４３，４３の上下幅寸法ＷＳと略一致するように設定されている。
【００４４】
そして、内底板４６の横幅寸法ＷＩＢは、内側板４５の下端から他方の側板４３に当接するまでの長さ、換言すると、底板４２の横幅寸法ＷＢから平坦板４４の横幅寸法ＷＨを差し引いた長さと略一致するように設定されている。
【００４５】
従って、矩形状シート４１の横幅寸法ＷＴは、各板４２〜４６の横幅寸法ＷＢ，ＷＳ，ＷＨ，ＷＩＳ，ＷＩＢを合算した長さになっている。もちろん、矩形状シート４１の縦幅寸法ＷＬは、ケース本体１２における側壁２２の内径側の長さ寸法Ｌ（図４参照）と略同じ長さになっている。
【００４６】
なお、内底板４６の横幅寸法ＷＩＢは、底板４２の横幅寸法ＷＢから平坦板４４の横幅寸法ＷＨを差し引いた長さより小さくても差し支えない。
【００４７】
矩形状シート４１（中敷シート１５）の一方の広幅面、すなわち立体に折り曲げた状態で表面側となる広幅面には、文字、記号、図形等の各種情報が印刷されている（図１、図２、図６及び図７参照）。
【００４８】
中敷シート１５を立体成形するに際しては、予め１枚の矩形状シート４１（図７（ａ）参照）を、主折り目４７ａに沿って二つ折りにする（図７（ｂ）参照）。
【００４９】
次いで、主折り目４７ａの部位がケース本体１２の回動中心側の側壁２２に内側から当接するようにして、二つ折り状の中間形態となった矩形状シートをケース本体１２内に挿入する（図７（ｃ）（ｅ）参照）。次いで、二つ折り状の矩形状シート４１のうち上シート部４７ａをケース本体１２の回動中心側の側壁２２に向かって滑らせることにより、両側板４３，４３と平坦板４４と内側板４５とを折り曲げて立体部４８を形成し、内底板４６をケース本体１２内に押し込むのである（図７（ｄ）（ｆ）参照）。
【００５０】
中敷シート１５は、紙製や合成樹脂製等の矩形状シート４１を展開した状態に製造し印刷されるものであるが、予め立体部４８があると保管・運搬にスペースをとるため不便である。
【００５１】
そこで、上記のように、ケース本体に装着する前は、上下のシート部４１ａ，４１ｂを重ね合わせた中間形態とすると、この状態では多数枚を積み重ねることができるので、スペースを節約することができ、運搬コスト及び保管コストを著しく低減することができるのである。
【００５２】
また、中敷シート１５を立体成形するに際しては、主折り目４７ａの部位がケース本体１２の回動端側の側壁２２に内側から当接するようにして、二つ折り状態の矩形状シート４１をケース本体１２内に挿入するというワンタッチ的な作業により、中敷シート１５に立体部４８を成形することができる。
【００５３】
従って、中敷シート１５の保管・運搬の容易性を損なうことなく、中敷シート１５の折り曲げ作業とケース本体１２内への挿入作業とを一つにまとめることができ、製造コストの低減に寄与することができるのである。
【００５４】
一方の側板４３と内側板４５との上下幅寸法ＷＳ，ＷＩＳはケース本体１２の側壁２２の高さ寸法Ｈに略一致し、かつ平坦板４４の横幅寸法ＷＨは蓋体１３の間隙部２７の横幅寸法に略一致しているから、閉蓋状態では、天蓋２４の回動端側の側辺部とケース本体１２側の側壁２２との間、すなわち間隙部２７に、中敷シート１５の立体部４８が収まることになる（図１参照）。この場合、中敷シート１５の立体部４８は蓋体１３側の間隙部２７をぴっちりと塞ぎ、立体部４８の平坦板４４と蓋体１３側の天蓋２４とは側断面視で面一状となる（図３参照）。
【００５５】
この立体部４８を構成する平坦板４５の表面に、カバーシート１４に印刷された文字の並び方向とは異なる方向に収納ケース１１に包装された布帛１７の名称等の文字を印刷しておくことが可能となり、これらの文字表示により、例えば陳列姿勢が異なっていても、布帛１７入りの収納ケース１１であることを簡単に認識することができるので、販売や保管の際にはたいへん都合がよい。
【００５６】
図８はケース本体１２の別例を示す第２実施例である。この例では、ケース本体１２における回動端側の側壁２２の上端に閉塞片５１を一体的に連接している点で第１実施例と相違している。これにより、閉蓋状態では、中敷シート１５の有無に拘らず、閉塞片５１で蓋体１３側の間隙部２７を塞ぐことができる。なお、この閉塞片を蓋体１３側に設けることにより間隙部２７を塞いでもよい。
【００５７】
図９に示す第３実施例では、ケース本体１２の底壁２１に合成樹脂フィルム製の吊懸用耳片５２が接着固定されている。この場合、吊懸用耳片５２は、収納ケース１１の自重程度の引張り力では剥がれることはないが、人の力で引き剥がせる程度の接着強度でケース本体１２の底壁２１に接着されている。
【００５８】
これにより、販売に際して布帛１７入りの収納ケース１１をフック等に引っ掛けて陳列した場合に、吊懸用耳片５２と収納ケース１１との接着が剥がれて収納ケース１１が脱落するおそれはない。一方、購入後は、ユーザは吊懸用耳片５２を簡単に引き剥がすことができて邪魔にならないのである。
【００５９】
また、図１０に示すように、吊懸用耳片５２の長手方向中途部にミシン目状等の弱化線５２ａ（実施例では２本）を形成することにより、吊懸用耳片５２を弱化線５２ａに沿って引き千切り可能に構成してもよい。耳片５２は紙製でもよい。
【００６０】
図１１は第４実施例を示している。第４実施例では、ワイピングクロス等の布帛６７が収納される硬質合成樹脂製の収納ケース６１は、布帛６７を包む包装体６４と、この包装体６４に包まれた布帛６７が収納される扁平矩形状のケース本体６２と、このケース本体６２に枢支手段６６を介して開閉回動可能に取付けられた扁平矩形状の蓋体６３とを備えている。ケース本体６２及び蓋体６３の構成は、電子記録媒体としてのフロッピーディスクを収納するのに使用される一般的な合成樹脂ケースと同様のものである。
【００６１】
包装体６４は請求項に記載したカバーシート及び中敷シートを一体化したものに相当する。図１１（ｂ）に示すように、包装体６４は、紙製や合成樹脂製等の１枚の横長矩形状シート６８を折り線に沿って断面略ロ字状に折り曲げてなるものである。この包装体６４は、断面略ロ字状に折り曲げた状態では、ケース本体６２内にきっちりと収まる大きさとなっている。包装体６４の適宜箇所には、ケース本体６２の内部を覗くための窓穴６９が形成されている。
【００６２】
以上のように構成すると、第１実施例の場合と同様に、ケース本体６２及び蓋体６３として、一般的な合成樹脂ケースを、そのまま利用することができるから、布帛６７を例えば合成樹脂ケース用の収納ボックス等に、フロッピーディスク入りのケースと一緒に整理して保管することができる。従って、布帛６７を紛失したり収納ケース６１の置き場所に困ったりすることはなく、パソコン類等の周囲の美感を損なうこともないのである。
【００６３】
図１２は第５実施例を示している。この例では、収納される布帛６７′の大きさに対応するために、ケース本体６２′及び蓋体６３′を大型化している。また、包装体６４′は、紙製や合成樹脂製等の１枚の横長矩形状シートを折り線に沿って断面略コ字状に折り曲げてなるものである。この場合も、第１及び第４実施例と同様に、ケース本体６２′及び蓋体６３′として、一般的な合成樹脂ケースをそのまま利用することができる。
【００６４】
図１３は第６実施例を示している。この例では、収納ケース６１″は、電子記録媒体としてのＰＣＭＣＩＡカードの収納に使用される硬質合成樹脂製であり、携帯可能な小さいサイズのものである点において第４実施例と相違している。この場合、収納される布帛は、メガネ等のレンズ類の拭き取りに使用するのに好適である。
【００６５】
本発明は、図示の実施例以外にも、様々な形態に具体化することができる。例えば収納ケースは、布帛の収納に限らず、他の種々の物品の収納に適用することも可能である。
【００６６】
収納ケースとしては、ＣＤまたはＤＶＤ等の光ディスクや光磁気ディスク（ＭＯ）、フロッピーディスク、ＰＣＭＣＩＡカードの収納に使用され得る形態のほか、ＳＤメモリカードやフラッシュメモリカードの収納に使用され得る形態のものを採用してもよい。
【００６７】
要するに、プラスチック成形品であって、ケース本体とこれを塞ぐ蓋体とからなっているものであれば、本発明に係る収納ケースとして採用することができる。特に、電子記録媒体の収納に使用され得るものであれば、収納の容易性やコスト面等からたいへん有利なのである。
【００６８】
収納ケースを構成するケース本体及び蓋体の高さ寸法や幅寸法は、布帛等の物品の大きさや必要な容量に応じて自由に設定することができる。もちろん、これに対応して、中敷シート及びカバーシートの素材となる矩形状シートの大きさ及び形状も変更される。
【００６９】
中敷シート及びカバーシートの素材となる矩形状シートの厚さや色彩、材質等は収納ケースに要求される特性に応じて適宜選択したらよい。矩形状シートは、紙製や合成樹脂製に限らず、帯電防止剤を混入したシートを素材としたり、金属イオンを混入した抗菌処理シートを素材としたり、磁気遮断機能を備えたシートを使用したりしてもよい。
【００７０】
また、前述の各例では、別体に構成したケース本体と蓋体とを枢支手段を介して開閉回動可能に連結しているが、これに限らず、ケース本体と蓋体とを枢支手段を介して一体的に成形しても構わない。
【００７１】
布帛による拭き取りの対象となるものは、パソコン、ワークステーション及び情報端末等のパソコン類、光ディスク（例えばＣＤやＤＶＤ等）及び光磁気ディスク（ＭＯ）等の電子記録媒体、液晶ディスプレイやプラズマディスプレイ等のディスプレイ類、並びにメガネレンズやカメラ等の光学機器等のレンズ類などが挙げられる。なお、ディスプレイ類には、ＣＲＴディスプレイや有機ＥＬディスプレイも含まれる。
【図面の簡単な説明】
【００７２】
【図１】第１実施例における布帛及び収納ケースの閉蓋状態での斜視図である。
【図２】開口状態での布帛及び収納ケースの斜視図である。
【図３】図１のＩＩＩ−ＩＩＩ視側断面図である。
【図４】収納ケースの分離斜視図である。
【図５】カバーシートの斜視図である。
【図６】中敷シートの斜視図である。
【図７】収納手順を示す斜視図である。
【図８】第２実施例における収納ケースとの分離斜視図である。
【図９】第３実施例における布帛及び収納ケースの開蓋状態での斜視図である。
【図１０】収納ケースを裏面側からみた斜視図である。
【図１１】第４実施例の布帛及び収納ケースの説明図である。
【図１２】第５実施例の布帛及び収納ケースの説明図である。
【図１３】第６実施例における布帛及び収納ケースの閉蓋状態での斜視図である。
【符号の説明】
【００７３】
１１，６１，６１′，６１″  収納ケース
１２，６２，６２′  ケース本体
１３，６３，６３′  蓋体
１４  カバーシート
１５  中敷シート
１７，６７，６７′  布帛
４１  矩形状シート
４２  底板
４３，４３  側板
４４  平坦板
４５  内側板
４６  内底板
４７ａ  主折り目
４７ｂ  第１補助折り目
４７ｃ  第２補助折り目
４７ｄ  第３補助折り目
【図１】
2005112453.tif 000003
【図２】
2005112453.tif 000004
【図３】
2005112453.tif 000005
【図４】
2005112453.tif 000006
【図５】
2005112453.tif 000007
【図６】
2005112453.tif 000008
【図７】
2005112453.tif 000009
【図８】
2005112453.tif 000010
【図９】
2005112453.tif 000011
【図１０】
2005112453.tif 000012
【図１１】
2005112453.tif 000013
【図１２】
2005112453.tif 000014
【図１３】
2005112453.tif 000015